(57)【要約】【目的】誤動作を生じさせることなく電力消費を抑えることが可能な電源装置、電源装置の制御方法及びこの電源装置を含む通信装置を提供することを目的とする。【構成】第１モード時には第１電圧値を有する第１電源電圧を第１及び第２電源供給ラインに送出し、第２モード時には第１電圧値よりも低い第２電圧値を有する第２電源電圧を第２電源供給ラインに送出するにあたり、電源装置の状態を第１モードから第２モードに切り替える場合には、先ず、第１電源回路で生成すべき第１電源電圧の電圧値を第２電圧値に変更し、次に、第１及び第２電源供給ライン同士を一旦接続してから両者を遮断した後に、第１電源電圧の生成動作を停止させる。一方、電源装置の状態を第２モードから第１モードに切り替える場合には、先ず、第１電源回路にて第２電圧値を有する第１電源電圧を生成させ、次に、第１及び第２電源供給ライン同士を一旦接続してから第２電源電圧の第２電源供給ラインへの送出を停止した後に、第１電源電圧の電圧値を第１電圧値に変更する。【選択図】図１
2018093722.tif 000002
【特許請求の範囲】
【請求項１】
第１モード時には第１電圧値を有する第１電源電圧を第１電源供給ライン及び第２電源供給ラインに送出し、第２モード時には前記第１電圧値よりも低い第２電圧値を有する第２電源電圧を前記第２電源供給ラインに送出する電源装置であって、
前記第１及び第２電圧値のうちの一方の電圧値を有する前記第１電源電圧を生成して前記第１電源供給ラインに送出する第１電源回路と、
前記第２電源電圧を生成する第２電源回路と、
前記第１電源供給ラインと第２電源供給ラインとの間に設けられた第１スイッチと、
前記第２電源回路と前記第２電源供給ラインとの間に設けられた第２スイッチと、
前記第１モードから前記第２モードに切り替える場合には、前記第１電源回路で生成すべき前記第１電源電圧の電圧値を前記第２電圧値に変更してから、第１所定期間経過後に前記第２スイッチをオン状態に設定し、前記第１所定期間よりも短い第２所定期間経過後に前記第１スイッチをオフ状態に設定し、前記第１所定期間よりも短い第３所定期間経過後に前記第１電源回路の動作を停止させることにより前記第２モードの状態に到らせる電源切替制御回路と、を有することを特徴とする電源装置。
【請求項２】
前記電源切替制御回路は、前記第１モード時には前記第１電源回路にて前記第１電圧値を有する前記第１電源電圧を生成させると共に前記第１スイッチをオン状態、前記第２スイッチをオフ状態に設定することにより前記第１電源電圧を前記第１及び第２電源供給ラインに送出させ、
第２モード時には前記第１電源回路の動作を停止させると共に前記第１スイッチをオフ状態、前記第２スイッチをオン状態に夫々設定することにより前記第２電源電圧を前記第２電源供給ラインに送出させることを特徴とする請求項１記載の電源装置。
【請求項３】
一端が接地電位に設定されている第１コンデンサと、
オン状態時に前記第１コンデンサの他端と前記第１電源供給ラインとを接続する一方、オフ状態時には前記第１コンデンサの他端と前記第１電源供給ラインとの接続を遮断する第３スイッチと、
一端が接地電位に設定されており他端に前記第２電源供給ラインが接続されている第２コンデンサと、を含み、
前記電源切替制御回路は、前記第１モード時には前記第３スイッチをオン状態に設定し、前記第２モード時には前記第３スイッチをオフ状態に設定することを特徴とする請求項１又は２記載の電源装置。
【請求項４】
前記電源切替制御回路は、前記第２スイッチのオフ状態の設定に連動して前記第２電源回路の動作を停止することを特徴とする請求項１乃至３のいずれか１に記載の電源装置。
【請求項５】
前記電源切替制御回路は、電源投入直後は前記第１モードの動作を実行することを特徴とする請求項１乃至４のいずれか１に記載の電源装置。
【請求項６】
第１モード時には第１電源供給ライン及び第２電源供給ライン同士を接続して第１電圧値を有する第１電源電圧を前記第１及び第２電源供給ラインの各々に送出し、第２モード時には前記第１及び第２電源供給ライン同士の接続を遮断して前記第１電圧値よりも低い第２電圧値を有する第２電源電圧を前記第２電源供給ラインに送出する電源装置の制御方法であって、
前記第１モードの状態から前記第２モードに切り替える場合には、前記第１電源電圧の電圧値を前記第２電圧値に変更するステップと、第１所定期間経過後に前記第２電源電圧を前記第２電源供給ラインに送出するステップと、前記第１所定期間よりも短い第２所定期間経過後に前記第１及び第２電源供給ライン同士の接続を遮断するステップと、前記第１所定期間よりも短い第３所定期間経過後に前記第１電源電圧の生成動作を停止させるステップと、を順次実行することにより前記第２モードの状態に到らせることを特徴とする電源装置の制御方法。
【請求項７】
情報データの送受信を行う通信主要回路部と、前記通信主要回路部が待機状態にある際の着信待ち受け処理を行う待機制御回路と、通信動作モード時には第１電圧値を有する第１電源電圧を第１電源供給ライン及び第２電源供給ラインを介して前記通信主要回路部及び前記待機制御回路に供給する一方、待機モード時には前記第１電圧値よりも低い第２電圧値を有する第２電源電圧を前記第２電源供給ラインを介して前記待機制御回路に供給する電源部と、を含む通信装置であって、
前記電源部は、前記第１及び第２電圧値のうちの一方の電圧値を有する前記第１電源電圧を生成して前記第１電源供給ラインに送出する第１電源回路と、
前記第２電源電圧を生成する第２電源回路と、
前記第１電源供給ラインと第２電源供給ラインとの間に設けられた第１スイッチと、
前記第２電源回路と前記第２電源供給ラインとの間に設けられた第２スイッチと、
前記第１モードから前記第２モードに切り替える場合には、前記第１電源回路で生成すべき前記第１電源電圧の電圧値を前記第２電圧値に変更してから、第１所定期間経過後に前記第２スイッチをオン状態に設定し、前記第１所定期間よりも短い第２所定期間経過後に前記第１スイッチをオフ状態に設定し、前記第１所定期間よりも短い第３所定期間経過後に前記第１電源回路の動作を停止させることにより前記第２モードの状態に到らせる電源切替制御回路と、を含むことを特徴とする通信装置。
【発明の詳細な説明】
【技術分野】
【０００１】
本発明は、電源装置、特に、外部供給された電源から内部電源電圧を生成する電源装置、かかる電源装置の制御方法及びこの電源装置を含む通信装置に関する。
【背景技術】
【０００２】
半導体集積装置に形成される電源装置として、通常動作時にアクティブになる動作時用電源回路と、待機状態時にアクティブとなるスタンバイ時用電源回路と、を備えたものが提案されている（例えば、特許文献１参照）。かかる電源装置では、通常動作から待機状態に切り替わると、動作時用電源回路が動作を停止し、この動作時用電源回路に代わりスタンバイ時用電源回路が動作を開始する。この際、特許文献１には、スタンバイ時用電源回路で生成される電源電圧は、動作時用電源回路で生成される電源電圧よりも低いことが記載されている。
【先行技術文献】
【特許文献】
【０００３】
【特許文献１】特開２００２−３７３９４２号公報
【発明の概要】
【発明が解決しようとする課題】
【０００４】
しかしながら、上記した電源回路の切り替えを各電源回路内部に搭載されているスイッチで行うと、両スイッチの切替タイミングの僅かなズレにより、高電圧側の動作時用電源回路側から低電圧側のスタンバイ時用電源回路に電流が流れ込む。これにより、スタンバイ時用電源回路で生成される電源電圧にスパイクノイズが重畳し、このスパイクノイズによって周辺回路が誤動作する虞があった。更に、電源電圧の切り替え時に流れる電流により、各電源回路内の寄生容量、或いは電源電圧の変動を抑えるべく電源供給ラインに接続されているバイパスコンデンサで充放電が生じ、この充放電に伴い無効な電力消費が生じてしまうという問題が生じた。
【０００５】
本発明は、誤動作を生じさせることなく電力消費を抑えることが可能な電源装置、電源装置の制御方法及びこの電源装置を含む通信装置を提供することを目的とする。
【課題を解決するための手段】
【０００６】
本発明に係る電源装置は、第１モード時には第１電圧値を有する第１電源電圧を第１電源供給ライン及び第２電源供給ラインに送出し、第２モード時には前記第１電圧値よりも低い第２電圧値を有する第２電源電圧を前記第２電源供給ラインに送出する電源装置であって、前記第１及び第２電圧値のうちの一方の電圧値を有する前記第１電源電圧を生成して前記第１電源供給ラインに送出する第１電源回路と、前記第２電源電圧を生成する第２電源回路と、前記第１電源供給ラインと第２電源供給ラインとの間に設けられた第１スイッチと、前記第２電源回路と前記第２電源供給ラインとの間に設けられた第２スイッチと、前記第１モードから前記第２モードに切り替える場合には、前記第１電源回路で生成すべき前記第１電源電圧の電圧値を前記第２電圧値に変更してから、第１所定期間経過後に前記第２スイッチをオン状態に設定し、前記第１所定期間よりも短い第２所定期間経過後に前記第１スイッチをオフ状態に設定し、前記第１所定期間よりも短い第３所定期間経過後に前記第１電源回路の動作を停止させることにより前記第２モードの状態に到らせる電源切替制御回路と、を有する。
【０００７】
また、本発明に係る電源装置の制御方法は、第１モード時には第１電源供給ライン及び第２電源供給ライン同士を接続して第１電圧値を有する第１電源電圧を前記第１及び第２電源供給ラインの各々に送出し、第２モード時には前記第１及び第２電源供給ライン同士の接続を遮断して前記第１電圧値よりも低い第２電圧値を有する第２電源電圧を前記第２電源供給ラインに送出する電源装置の制御方法であって、前記第１モードの状態から前記第２モードに切り替える場合には、前記第１電源電圧の電圧値を前記第２電圧値に変更するステップと、第１所定期間経過後に前記第２電源電圧を前記第２電源供給ラインに送出するステップと、前記第１所定期間よりも短い第２所定期間経過後に前記第１及び第２電源供給ライン同士の接続を遮断するステップと、前記第１所定期間よりも短い第３所定期間経過後に前記第１電源電圧の生成動作を停止させるステップと、を順次実行することにより前記第２モードの状態に到らせる。
【０００８】
また、本発明に係る電源装置を含む通信装置は、情報データの送受信を行う通信主要回路部と、前記通信主要回路部が待機状態にある際の着信待ち受け処理を行う待機制御回路と、通信動作モード時には第１電圧値を有する第１電源電圧を第１電源供給ライン及び第２電源供給ラインを介して前記通信主要回路部及び前記待機制御回路に供給する一方、待機モード時には前記第１電圧値よりも低い第２電圧値を有する第２電源電圧を前記第２電源供給ラインを介して前記待機制御回路に供給する電源部と、を含む通信装置であって、前記電源部は、前記第１及び第２電圧値のうちの一方の電圧値を有する前記第１電源電圧を生成して前記第１電源供給ラインに送出する第１電源回路と、前記第２電源電圧を生成する第２電源回路と、前記第１電源供給ラインと第２電源供給ラインとの間に設けられた第１スイッチと、前記第２電源回路と前記第２電源供給ラインとの間に設けられた第２スイッチと、前記第１モードから前記第２モードに切り替える場合には、前記第１電源回路で生成すべき前記第１電源電圧の電圧値を前記第２電圧値に変更してから、第１所定期間経過後に前記第２スイッチをオン状態に設定し、前記第１所定期間よりも短い第２所定期間経過後に前記第１スイッチをオフ状態に設定し、前記第１所定期間よりも短い第３所定期間経過後に前記第１電源回路の動作を停止させることにより前記第２モードの状態に到らせる電源切替制御回路と、を含む。
【発明の効果】
【０００９】
本発明によれば、第１モード時には第１電圧値を有する第１電源電圧を第１及び第２電源供給ラインに送出する一方、第２モード時には第１電圧値よりも低い第２電圧値を有する第２電源電圧を第２電源供給ラインに送出する電源装置において、その状態を第１モード（第２モード）から第２モード（第１モード）に切り替える際に、第１及び第２電圧値が同時に電源ライン上に印加されることが無い。これにより、モード切替時において、第２電圧値を生成する電源回路への電流の流れ込み、並びにその電流に伴うスパイクノイズが防止されるので、スパイクノイズに起因する周辺回路の誤動作及び無効な電力消費を抑えることが可能となる。
【図面の簡単な説明】
【００１０】
【図１】本発明に係る電源装置を含む通信装置１００の内部構成の一例を示すブロック図である。
【図２】主電源回路２１の内部構成の一例を示す回路図である。
【図３】電源部２における通信動作モード及び待機モード各々での状態を示す図である。
【図４】電源切替制御回路２５で実行する通信／待機切替制御ルーチンの一例を示す図である。
【図５】電源切替制御回路２５で実行する待機／通信切替制御ルーチンの一例を示す図である。
【図６】通信／待機切替制御ルーチンにおける各ステップ毎の電源部２内の状態を示す図である。
【図７】待機／通信切替制御ルーチンにおける各ステップ毎の電源部２内の状態を示す図である。
【図８】本発明に係る電源装置を含む通信装置１００の内部構成の他の一例を示すブロック図である。
【図９】電源部２における通信動作モード及び待機モード各々での状態を示す図である。
【図１０】電源切替制御回路２５０で実行する通信／待機切替制御ルーチンの一例を示す図である。
【図１１】電源切替制御回路２５０で実行する待機／通信切替制御ルーチンの一例を示す図である。
【図１２】通信／待機切替制御ルーチンにおける各ステップ毎の電源部２内の状態を示す図である。
【図１３】通信／待機切替制御ルーチンにおける各ステップ毎の電源部２内の状態を示す図である。
【図１４】待機／通信切替制御ルーチンにおける各ステップ毎の電源部２内の状態を示す図である。
【図１５】待機／通信切替制御ルーチンにおける各ステップ毎の電源部２内の状態を示す図である。
【発明を実施するための形態】
【００１１】
以下、本発明の実施例を、図面を参照しつつ詳細に説明する。
【実施例１】
【００１２】
図１は、本発明に係る電源装置を含む通信装置１００の内部構成の一例を示すブロック図である。図１に示すように、通信装置１００は、通信処理部１及び電源装置としての電源部２を含む。
【００１３】
通信処理部１は、アンテナスイッチ１１、発振回路１２、受信回路１３、送信回路１４、通信制御回路１５、及び待機制御回路１６を含む。アンテナスイッチ１１は、受信送信指定信号ＲＴＳが受信動作を指定している場合には、外部端子Ｔ１に接続されているアンテナＡＴを介して受信した受信信号ＲＸを受信回路１３に供給する。一方、受信送信指定信号ＲＴＳが送信動作を指定している場合には、アンテナスイッチ１１は、送信回路１４から送出された送信信号ＴＸを外部端子Ｔ１を介してアンテナＡＴに供給する。発振回路１２は、リファレンスクロック信号ＣＫに基づき局部発振周波数を有する局部発振信号ＦＬ及び搬送波周波数を有する搬送波信号ＣＡを夫々生成する。発振回路１２は、局部発振信号ＦＬを受信回路１３に供給すると共に、搬送波信号ＣＡを送信回路１４に供給する。受信回路１３は、局部発振信号ＦＬに基づき受信信号ＲＸを周波数変換し、この際得られた中間周波数信号に対して復調処理を施して得た情報データを、受信情報データＲＸＤとして通信制御回路１５に供給する。送信回路１４は、搬送波信号ＣＡを、送信すべき送信情報データＴＸＤによって変調し、増幅して得られた送信信号ＴＸをアンテナスイッチ１１に供給する。
【００１４】
通信制御回路１５は、受信回路１３から供給された受信情報データＲＸＤを、画像表示機能及び文字・音声入出力機能を備えた情報再生処理部（図示せぬ）に供給する。又、通信制御回路１５は、かかる情報再生処理部から送信情報データＴＸＤが供給された場合には、これを送信回路１４に供給する。また、通信制御回路１５は、送信及び受信動作のうちのいずれの動作を実行するのかを指定する受信送信指定信号ＲＴＳをアンテナスイッチ１１に供給する。
【００１５】
上記した構成により、発振回路１２、受信回路１３、送信回路１４及び通信制御回路１５からなる通信主要回路部は、情報データの送受信動作を行う。
【００１６】
待機制御回路１６は、通信処理部１が通信動作を実行する通信動作モード、及び通信処理部１が通信動作を停止して電力消費を抑える待機モードのうちの一方を指定する通信待機指定信号ＣＷＳを生成し、これを電源部２に供給する。尚、待機制御回路１６は、例えば電源部２にバッテリＢが接続された時、或いは通信装置１００の主電源スイッチがオフ状態からオン状態となった時、要するに通信装置１００に電源が投入された時に、通信動作モードを指定する通信待機指定信号ＣＷＳを電源部２に供給する。よって、電源部２は、電源投入直後は、後述するような通信動作モードで動作する。その後、所定期間に亘りユーザによる操作が為されなかった場合には、待機制御回路１６は、待機モードを指定する通信待機指定信号ＣＷＳを電源部２に供給する。そして、所定の着信待ち受け期間が経過する度に、待機制御回路１６は、通信動作モードを指定する通信待機指定信号ＣＷＳを電源部２に供給すると共に、受信動作を促す受信指令信号を通信制御回路１５に供給する。かかる受信指令信号に応じて、通信制御回路１５は、受信動作を指定する受信送信指定信号ＲＴＳをアンテナスイッチ１１に供給することにより、受信回路１３において受信動作を実行させる。この際、受信回路１３で受信情報データＲＸＤの取得が為されなかった場合には、待機制御回路１６は、待機モードを指定する通信待機指定信号ＣＷＳを電源部２に供給する。
【００１７】
上記したように、待機制御回路１６は、所定の着信待ち受け期間が経過する度に実施する上記一連の処理により、通信主要回路部（１２〜１５）の待機状態時における着信待ち受け処理を行う。
【００１８】
尚、通信処理部１において、通信主要回路部（１２〜１５）は、電源供給ラインＬ１を介して電源部２から供給された電源電圧Ｖ１によって動作可能な状態となる。待機制御回路１６は、電源供給ラインＬ１及びＬ２を介して電源部２から供給された電源電圧Ｖ１、或いは電源供給ラインＬ２を介して電源部２から供給された電源電圧Ｖ２によって動作可能な状態となる。
【００１９】
電源部２は、主電源回路２１、待機電源回路２２、スイッチ２３及び２４、電源切替制御回路２５を含む。
【００２０】
主電源回路２１は、外部端子Ｔ２に接続されたバッテリＢの電源電圧ＶＢ（例えば１．
５〜３．６ボルト）に基づき、電圧指定信号ＣＶにて指定された第１電圧値及びこの第１電圧値よりも低い第２電圧値のうちの一方の電圧値を有する電源電圧Ｖ１を生成する。尚、第１電圧値とは、上記した通信主要回路部（１２〜１５）を動作させることが可能な電源電圧値であり、例えば１．３ボルトである。尚、第２電圧値とは、待機電源回路２２において生成される電源電圧Ｖ２の電圧値と同一の電圧値であり、例えば０．９ボルトである。よって、主電源回路２１は、第１電圧値を指定する電圧指定信号ＣＶが供給された場合には１．３ボルトを有する電源電圧Ｖ１を生成する一方、第２電圧値を指定する電圧指定信号ＣＶが供給された場合には０．９ボルトを有する電源電圧Ｖ１を生成する。主電源回路２１は、かかる電源電圧Ｖ１を電源供給ラインＬ１を介して、スイッチ２３、及び通信主要回路部としての発振回路１２、受信回路１３、送信回路１４及び通信制御回路１５の各々に供給する。尚、主電源回路２１は、電源遮断を促す電源遮断信号ＣＵＴに応じて、電源電圧ＶＢの受け入れ自体を停止、或いは電源供給ラインＬ１との電気的接続を遮断することにより電源電圧Ｖ１の生成動作を停止する。これにより、電源供給ラインＬ１を介して通信処理部１に供給される電源電圧Ｖ１は０ボルトとなり、この通信処理部１に設けられている通信主要回路部（１２〜１５）は動作を停止する。
【００２１】
図２は、主電源回路２１の内部構成を示す回路図の一例である。図２に示すように、主電源回路２１は、基準電圧生成回路２１１、オペアンプ２１２、出力トランジスタ２１３及びスイッチ２１４を含む。
【００２２】
基準電圧生成回路２１１は、電源電圧ＶＢに基づき、電圧指定信号ＣＶにて指定された第１電圧値（例えば、１．３ボルト）又は第２電圧値（例えば０．９ボルト）を有する基準電圧ＶＲＦを生成し、これをオペアンプ２１２の反転入力端子に供給する。尚、基準電圧生成回路２１１は、電源遮断信号ＣＵＴに応じて電源電圧ＶＢの受け入れ自体を停止、或いはオペアンプ２１２との電気的接続を遮断する。これにより、オペアンプ２１２の反転入力端子が０ボルトの状態、或いはハイインピーダンス状態に設定される。オペアンプ２１２は、電源供給ラインＬ１上に送出された電源電圧Ｖ１と基準電圧ＶＲＦとの差分に対応した差分信号をラインＬＱを介して出力トランジスタ２１３のゲート端子に供給する。尚、オペアンプ２１２は、電源遮断信号ＣＵＴに応じて動作を停止する。出力トランジスタ２１３は、例えばｐチャネルＭＯＳ（Metal Oxide Semiconductor)型のトランジスタであり、そのソース端子には電源電圧ＶＢが印加されており、ドレイン端子は電源供給ラインＬ１及びオペアンプ２１２の非反転入力端子に接続されている。スイッチ２１４は、電源遮断信号ＣＵＴに応じてオン状態となり、電源電圧ＶＢを出力トランジスタ２１３のゲート端子に供給する。かかる構成により、出力トランジスタ２１３は、電源電圧ＶＢに基づき、電圧指定信号ＣＶにて指定された第２電圧値又は第１電圧値を有する電源電圧Ｖ１を、そのドレイン端子を介して電源供給ラインＬ１上に送出する。この際、電源遮断信号ＣＵＴが供給された場合には、基準電圧生成回路２１１及びオペアンプ２１２が動作を停止すると共にスイッチ２１４がオン状態となる。スイッチ２１４がオン状態となることにより、出力トランジスタ２１３のゲート端子に電源電圧ＶＢが供給され、この出力トランジスタ２１３がオフ状態となる。これにより、電源供給ラインＬ１がハイインピーダンス状態となり、電源供給ラインＬ１上の電圧が０ボルトに推移して行く。
【００２３】
待機電源回路２２は、上記バッテリＢの電源電圧ＶＢに基づき、通信処理部１の待機制御回路１６を動作させることが可能な最低限の電圧値、つまり上記した第２電圧値として例えば０．９ボルトを有する電源電圧Ｖ２を生成し、これをスイッチ２４に供給する。
【００２４】
スイッチ２３は、スイッチ信号ＳＷ１に応じてオン状態又はオフ状態となり、オン状態時には電源供給ラインＬ１及びＬ２同士を電気的に接続する一方、オフ状態時には電源供給ラインＬ１及びＬ２同士の接続を遮断する。よって、スイッチ２３がオン状態となっている間に亘り、電源電圧Ｖ１が電源供給ラインＬ２に印加される。
【００２５】
スイッチ２４は、スイッチ信号ＳＷ２に応じてオン状態又はオフ状態となり、オン状態時には待機電源回路２２と電源供給ラインＬ２とを接続する一方、オフ状態時には待機電源回路２２と電源供給ラインＬ２との接続を遮断する。よって、スイッチ２４のオン状態時には、待機電源回路２２で生成された電源電圧Ｖ２が電源供給ラインＬ２に送出され、スイッチ２４のオフ状態時には、電源電圧Ｖ２の電源供給ラインＬ２への送出が停止する。
【００２６】
電源切替制御回路２５は、待機制御回路１６から、通信動作モードを指定する通信待機指定信号ＣＷＳが供給された場合には、第１電圧値を指定する電圧指定信号ＣＶを主電源回路２１に供給する。更に、この際、電源切替制御回路２５は、スイッチオンを示すスイッチ信号ＳＷ１をスイッチ２３に供給すると共に、スイッチオフを示すスイッチ信号ＳＷ２をスイッチ２４に供給する。よって、通信動作モード時には、図３（ａ）に示すように、電源部２のスイッチ２３がオン状態、スイッチ２４がオフ状態になると共に、主電源回路２１が、第１電圧値として例えば１．３ボルトを有する電源電圧Ｖ１を生成する。これにより、主電源回路２１が生成した１．３ボルトの電源電圧Ｖ１が、電源供給ラインＬ１を介して、通信主要回路部（１２〜１５）に供給され、更に、この電源電圧Ｖ１が電源供給ラインＬ２を介して待機制御回路１６にも供給される。
【００２７】
一方、待機モードを指定する通信待機指定信号ＣＷＳが供給された場合には、電源切替制御回路２５は、電源遮断を促す電源遮断信号ＣＵＴを主電源回路２１に供給する。更に、電源切替制御回路２５は、スイッチオフを示すスイッチ信号ＳＷ１をスイッチ２３に供給すると共に、スイッチオンを示すスイッチ信号ＳＷ２をスイッチ２４に供給する。よって、待機モード時には、図３（ｂ）に示すように、電源部２のスイッチ２３がオフ状態、スイッチ２４がオン状態になると共に、主電源回路２１がその動作を停止する。これにより、主電源回路２１から通信主要回路部（１２〜１５）への電源供給が停止すると共に、待機電源回路２２で生成された０．９ボルトの電源電圧Ｖ２が電源供給ラインＬ２を介して待機制御回路１６に供給される。
【００２８】
上記した構成により、電源部２は、通信動作モード時には、第１電圧値として例えば１．３ボルトを有する電源電圧Ｖ１を電源供給ラインＬ１を介して通信主要回路部（１２〜１５）に供給すると共に、かかる電源電圧Ｖ１を電源供給ラインＬ１及びＬ２を介して待機制御回路１６に供給する。一方、待機モード時には、電源部２は、第２電圧値として例えば０．９ボルトを有する電源電圧Ｖ２を、電源供給ラインＬ２を介して待機制御回路１６のみに供給する。よって、かかる待機モードでは、通信主要回路部（１２〜１５）に対する電源供給が遮断されると共に、待機制御回路１６に対してはこの待機制御回路１６を動作させ得る最低限の電源電圧が供給されるので、電力消費量を大幅に抑制することが可能となる。
【００２９】
ここで、電源切替制御回路２５は、上記した通信動作モードから待機モードへの切り替えを行う際には、図４に示す通信／待機切替制御ルーチンに従った電源切替制御を行い、待機モードから通信動作モードへの切り替え時には図５に示す待機／通信切替制御ルーチンに従った電源切替制御を行う。
【００３０】
つまり、通信待機指定信号ＣＷＳが通信動作モードから待機モードの指定へと遷移した時には、電源切替制御回路２５は、図４に示す通信／待機切替制御ルーチンに従って、先ず、図３（ａ）に示す通信動作モードの状態にある各機能モジュール（２１〜２４）のうちの主電源回路２１に、第２電圧値を指定する電圧指定信号ＣＶを供給する（ステップＳ１）。これにより、主電源回路２１は、１．３ボルトの電源電圧Ｖ１の生成状態から、図６（ａ）に示すように、０．９ボルトの電源電圧Ｖ１の生成状態に切り替わる。尚、この間、待機電源回路２２、スイッチ２３及び２４は、図３（ａ）に示す状態を維持する。かかるステップＳ１を実行してから、電源電圧Ｖ１の電圧値が０．９ボルトに到るまでに費やされる期間、例えば５μｓが経過したら、電源切替制御回路２５は、スイッチオンを示すスイッチ信号ＳＷ２をスイッチ２４に供給する（ステップＳ２）。これにより、図６（ｂ）に示すように、スイッチ２４がオン状態となり、主電源回路２１で生成された０．９ボルトの電源電圧Ｖ１と、待機電源回路２２で生成された０．９ボルトの電源電圧Ｖ２とが共に電源供給ラインＬ１及びＬ２上に印加される。かかるステップＳ２を実行してから例えば１μｓが経過したら、電源切替制御回路２５は、スイッチオフを示すスイッチ信号ＳＷ１をスイッチ２３に供給する（ステップＳ３）。これにより、図６（ｃ）に示すように、スイッチ２３は、電源供給ラインＬ１及びＬ２同士の接続を遮断する。かかるステップＳ３を実行してから例えば１μｓが経過したら、電源切替制御回路２５は、電源遮断信号ＣＵＴを主電源回路２１に供給する（ステップＳ４）。これにより、主電源回路２１は電源電圧Ｖ１の生成動作を停止する。従って、電源部２は、図３（ｂ）に示すように、主電源回路２１による通信主要回路部（１２〜１５）への電源電圧Ｖ１の供給を停止し、且つ待機電源回路２２で生成された０．９ボルトの電源電圧Ｖ２をスイッチ２４及び電源供給ラインＬ２を介して待機制御回路１６に供給する状態、つまり待機モードの状態となる。
【００３１】
上記のように、電源部２を通信動作モードから待機モードに切り替える際には、図３（ａ）に示す通信動作モードの状態から、図６（ａ）〜図６（ｃ）の状態を順次経てから、図３（ｂ）に示す待機モードの状態に到らせるのである。
【００３２】
一方、通信待機指定信号ＣＷＳが待機モードから通信動作モードの指定へと遷移した時には、電源切替制御回路２５は、図５に示す通信／待機切替制御ルーチンに従って、先ず、図３（ｂ）に示す待機モードの状態にある各機能モジュール（２１〜２４）のうちの主電源回路２１に対して、第２電圧値を指定する電圧指定信号ＣＶを供給する（ステップＳ１１）。これにより、主電源回路２１は、図３（ｂ）に示す動作停止状態から動作を開始して、図７（ａ）に示すように第２電圧値である０．９ボルトの電源電圧Ｖ１の生成状態に遷移し、かかる電源電圧Ｖ１を電源供給ラインＬ１に印加する。尚、この間、待機電源回路２２、スイッチ２３及び２４の状態は、図３（ｂ）に示す状態を維持する。かかるステップＳ１１を実行してから、主電源回路２１において生成される電源電圧Ｖ１の電圧値が０．９ボルトに到るまでに費やされる期間、例えば１０μｓが経過したら、電源切替制御回路２５は、スイッチオンを示すスイッチ信号ＳＷ１をスイッチ２３に供給する（ステップＳ１２）。これにより、図７（ｂ）に示すように、スイッチ２３がオン状態となって電源供給ラインＬ１及びＬ２同士が接続され、主電源回路２１で生成された０．９ボルトの電源電圧Ｖ１と、待機電源回路２２で生成された０．９ボルトの電源電圧Ｖ２とが共に、電源供給ラインＬ１及びＬ２上に印加されることになる。かかるステップＳ１２を実行してから例えば１μｓが経過したら、電源切替制御回路２５は、スイッチオフを示すスイッチ信号ＳＷ２をスイッチ２４に供給する（ステップＳ１３）。これにより、図７（ｃ）に示すように、スイッチ２４がオフ状態となり、待機電源回路２２で生成された電源電圧Ｖ２が電源供給ラインＬ２上へ印加されなくなる。かかるステップＳ１３を実行してから例えば１μｓが経過したら、電源切替制御回路２５は、第１電圧値を指定する電圧指定信号ＣＶを主電源回路２１に供給する（ステップＳ１４）。これにより、主電源回路２１は、電源電圧Ｖ１の電圧値を０．９ボルトから１．３ボルトに増加する。従って、電源部２は、図３（ａ）に示すように、主電源回路２１で生成された１．３ボルトの電源電圧Ｖ１を電源供給ラインＬ１を介して通信主要回路部（１２〜１５）に供給する状態、つまり通信動作モードの状態となる。
【００３３】
このように、電源部２を待機モードの状態から通信動作モードの状態に切り替える際には、図３（ｂ）に示す待機モードの状態から、図７（ａ）〜図７（ｃ）の状態を順次経てから、図３（ａ）に示す通信動作モードの状態に到らせるのである。
【００３４】
以上のように、電源部２の電源切替制御回路２５は、通信主回路部（１２〜１５）及びこの主回路部の待機時での動作を制御する待機制御回路１６の各々に対して、以下のように電源電圧の切り替えを行う。すなわち、電源切替制御回路２５は、通信動作モードでは、主電源回路２１で生成された第１電圧値（例えば、１．３ボルト）の電源電圧Ｖ１を、第１及び第２の電源供給ラインＬ１及びＬ２を介して、通信主回路部（１２〜１５）及び待機制御回路１６に供給する。一方、待機モードでは、電源切替制御回路２５は、主電源回路２１の動作を停止させると共に、待機電源回路２２で生成された第２電圧値（例えば、０．９ボルト）、つまり第１電圧値の電源電圧Ｖ１よりも低く、且つ待機制御回路１６を動作させることが可能な最低限の電圧値を有する電源電圧Ｖ２を、第２の電源供給ラインＬ２を介して待機制御回路１６に供給する。
【００３５】
従って、かかる構成によれば、待機モード時において待機制御回路１６に供給する電源電圧は、第１電圧値の電源電圧Ｖ１よりも低い電源電圧Ｖ２であるので、第１電圧値の電源電圧Ｖ１を待機制御回路１６に供給する場合に比して消費電力を抑えることが可能となる。
【００３６】
ここで、通信動作モード時には、主電源回路２１で生成された第１電圧値の電源電圧Ｖ１が電源供給ラインＬ１を介して電源供給ラインＬ２に印加され、待機モード時には、待機電源回路２２で生成された第２電圧値の電源電圧Ｖ２が電源供給ラインＬ２に印加される。よって、通信動作モードから待機モード、或いは待機モードから通信動作モードへの切り替え（以下、単に「モード切替」と称する）の際には、第１電圧値と、これよりも低い第２電圧値とが電源供給ラインに印加されることになる。この際、かかるモード切替時において第１電圧値及び第２電圧値が同時に印加されると、主電源回路２１側から待機電源回路２２に向けて電流が流れ込み、この電流がスパイクノイズとなって待機制御回路１６を誤動作させる虞がある。また、このように待機電源回路２２に流れ込む電流によって、待機電源回路２２の寄生容量が充放電し、かかる充放電に伴う無効な電力消費が生じる虞がある。
【００３７】
そこで、電源部２の電源切替制御回路２５では、電源部２を通信動作モードから待機モードに切り替える際には、図３（ａ）に示す通信動作モードの状態から、図６（ａ）〜図６（ｃ）の状態を順次経てから、図３（ｂ）に示す通信動作モードの状態に到らせるようにしている。また、電源部２を待機モードから通信動作モードに切り替える際には、図３（ｂ）に示す待機モードの状態から、図７（ａ）〜図７（ｃ）の状態を順次経てから、図３（ａ）に示す通信動作モードの状態に到らせるようにしている。
【００３８】
すなわち、上記したモード切替を行うにあたり、先ず、図６（ａ）又は図７（ａ）に示すように、主電源回路２１で生成する電源電圧Ｖ１の電圧値を一旦、待機電源回路２２で生成される電源電圧Ｖ２と同一の第２電圧値（０．９ボルト）に変更する。次に、図６（ｂ）又は図７（ｂ）に示すように、待機電源回路２２で生成された第２電圧値の電源電圧Ｖ２を、主電源回路２１で生成された第２電圧値の電源電圧Ｖ１と共に電源供給ラインＬ１及びＬ２に印加する。その後、待機モードの状態に遷移させる場合には、図６（ｃ）に示すように電源供給ラインＬ１及びＬ２同士の接続を遮断してから、図３（ｂ）に示すように主電源回路２１の動作を停止させる。一方、通信動作モードの状態に遷移させる場合には、図７（ｃ）に示すように待機電源回路２２と電源供給ラインＬ２との間の接続を遮断してから、図３（ａ）に示すように主電源回路２１で生成させる電源電圧Ｖ１の電圧値を、通信主回路部（１２〜１５）及び待機制御回路１６を動作させる第１電圧値（１．３ボルト）に変更するのである。
【００３９】
よって、かかる電源切り替え制御によれば、モード切替時において、主電源回路２１で生成された第１電圧値と、待機電源回路２２で生成された第２電圧値とが同時に電源供給ラインに印加されることは無いので、待機電源回路２２内への電流の流れ込み、並びにその電流に伴うスパイクノイズが防止される。従って、かかるスパイクノイズに起因する周辺回路（待機制御回路１６）の誤動作、及びモード切替時に待機電源回路２２へ流れ込む電流による無効な電力消費を抑えることが可能となる。
【実施例２】
【００４０】
図８は、本発明に係る電源装置が搭載されている通信装置１００の内部構成の他の一例を示すブロック図である。尚、図８に示す構成では、電源部２内において、スイッチ２６、コンデンサＣ１及びＣ２を新たに設けると共に、電源切替制御回路図１に代えて電源切替制御回路２５０を採用した点を除く他の構成は、図１に示されるものと同一である。よって、以下に、これらスイッチ２６、電源切替制御回路２５０、コンデンサＣ１及びＣ２によって為される動作を中心に、図８に示す電源部２の動作について説明する。
【００４１】
図８において、コンデンサＣ１は、電源供給ラインＬ１上の電圧変動を抑えるべく設けられたバイパスコンデンサであり、その一端が接地電位に設定されており、他端がスイッチ２６を介して電源供給ラインＬ１に接続されている。スイッチ２６は、電源切替制御回路２５０からスイッチオンを示すスイッチ信号ＳＷ３が供給された場合にはオン状態となり、この際、コンデンサＣ１の他端と電源供給ラインＬ１とを電気的に接続する。一方、スイッチオフを示すスイッチ信号ＳＷ３が供給された場合には、スイッチ２６はオフ状態となり、コンデンサＣ１の他端をハイインピーダンス状態にする。すなわち、コンデンサＣ１は、スイッチ２６がオン状態の場合にだけ、電源供給ラインＬ１上の電圧変動を抑えるバイパスコンデンサとして機能する。一方、コンデンサＣ２は、電源供給ラインＬ２上の電源電圧の変動を抑えるバイパスコンデンサであり、その一端は接地電位に設定されており、他端は待機電源回路２２とスイッチ２４とを接続するライン上、或いは待機電源回路２２の出力端子に接続されている。
【００４２】
図８に示す構成において、電源部２の電源切替制御回路２５０は、待機制御回路１６から、通信動作モードを指定する通信待機指定信号ＣＷＳが供給された場合には、第１電圧値を指定する電圧指定信号ＣＶを主電源回路２１に供給する。更に、電源切替制御回路２５０は、スイッチオンを示すスイッチ信号ＳＷ１及びＳＷ３をスイッチ２３及び２６に供給すると共に、スイッチオフを示すスイッチ信号ＳＷ２をスイッチ２４に供給する。よって、通信動作モード時には、図９（ａ）に示すように、電源部２のスイッチ２３及び２６がオン状態、スイッチ２４がオフ状態となると共に、主電源回路２１が、第１電圧値として例えば１．３ボルトを有する電源電圧Ｖ１を生成する。これにより、主電源回路２１が生成した１．３ボルトの電源電圧Ｖ１が、電源供給ラインＬ１を介して、発振回路１２、受信回路１３、送信回路１４及び通信制御回路１５からなる通信主要回路部に供給され、更に、かかる電源電圧Ｖ１が電源供給ラインＬ２を介して待機制御回路１６にも供給される。また、コンデンサＣ１が電源供給ラインＬ１に接続されるので、コンデンサＣ１は電源供給ラインＬ１上の電圧変動を抑制するバイパスコンデンサとして機能する。
【００４３】
一方、待機モードを指定する通信待機指定信号ＣＷＳが供給された場合には、電源切替制御回路２５０は、電源遮断を促す電源遮断信号ＣＵＴを主電源回路２１に供給する。更に、電源切替制御回路２５０は、スイッチオフを示すスイッチ信号ＳＷ１及びＳＷ３をスイッチ２３及び２６に供給すると共に、スイッチオンを示すスイッチ信号ＳＷ２をスイッチ２４に供給する。よって、待機モード時には、図９（ｂ）に示すように、電源部２のスイッチ２３及び２６がオフ状態、スイッチ２４がオン状態になると共に、主電源回路２１がその動作を停止する。これにより、主電源回路２１から通信主要回路部（１２〜１５）への電源供給が停止すると共に、待機電源回路２２で生成された０．９ボルトの電源電圧Ｖ２が電源供給ラインＬ２を介して待機制御回路１６に供給される。更に、コンデンサＣ１の他端が電源供給ラインＬ１から外されてハイインピーダンス状態となる。
【００４４】
よって、図８に示す構成においても図１に示す構成と同様に、電源部２は、通信動作モードでは、通信主要回路部（１２〜１５）を動作させ得る電圧値（例えば１．３ボルト）を有する電源電圧Ｖ１を、電源供給ラインＬ１及びＬ２を介して通信主要回路部（１２〜１５）及び待機制御回路１６に供給する。一方、待機モードでは、待機制御回路１６を動作させ得る最低限の電圧値を有する電源電圧Ｖ２を、電源供給ラインＬ２を介して待機制御回路１６のみに供給するのである。
【００４５】
ここで、電源切替制御回路２５０は、通信動作モードから待機モードへの切り替えを行う際には図１０に示す通信／待機切替制御ルーチンに従った電源切替制御を行い、待機モードから通信動作モードへの切り替え時には図１１に示す待機／通信切替制御ルーチンに従った電源切替制御を行う。
【００４６】
つまり、通信待機指定信号ＣＷＳが通信動作モードから待機モードの指定へと遷移した時には、電源切替制御回路２５０は、図１０に示す通信／待機切替制御ルーチンに従って、先ず、図９（ａ）に示す通信動作モードの状態にある各機能モジュール（２１〜２４、２６）のうちのスイッチ２６に、スイッチオフを示すスイッチ信号ＳＷ３を供給する（ステップＳ２１）。これにより、図１２（ａ）に示すように、スイッチ２６はオフ状態となり、コンデンサＣ１の他端と電源供給ラインＬ１との電気的接続を遮断する。尚、この間、主電源回路２１、待機電源回路２２、スイッチ２３及び２４は、図９（ａ）に示す状態を維持する。ここで、上記ステップＳ２１を実行してから例えば１μｓが経過したら、電源切替制御回路２５０は、第２電圧値を指定する電圧指定信号ＣＶを主電源回路２１に供給する（ステップＳ２２）。これにより、主電源回路２１は、第１電圧値である１．３ボルトの電源電圧Ｖ１の生成状態から、図１２（ｂ）に示すように、第２電圧値である０．９ボルトの電源電圧Ｖ１の生成状態に切り替わる。かかるステップＳ２２を実行してから、電源電圧Ｖ１の電圧値が０．９ボルトに到るまでに費やされる期間、例えば５μｓが経過したら、電源切替制御回路２５０は、スイッチオンを示すスイッチ信号ＳＷ２をスイッチ２４に供給する（ステップＳ２３）。これにより、図１３（ａ）に示すように、スイッチ２４がオン状態となり、主電源回路２１で生成された０．９ボルトの電源電圧Ｖ１と、待機電源回路２２で生成された０．９ボルトの電源電圧Ｖ２とが共に電源供給ラインＬ１及びＬ２上に印加される。かかるステップＳ２３を実行してから例えば１μｓが経過したら、電源切替制御回路２５０は、スイッチオフを示すスイッチ信号ＳＷ１をスイッチ２３に供給する（ステップＳ２４）。これにより、図１３（ｂ）に示すように、スイッチ２３は、電源供給ラインＬ１及びＬ２同士の接続を遮断する。かかるステップＳ２４を実行してから例えば１μｓが経過したら、電源切替制御回路２５０は、電源遮断信号ＣＵＴを主電源回路２１に供給する（ステップＳ２５）。これにより、主電源回路２１は電源電圧Ｖ１の生成動作を停止する。従って、電源部２は、図９（ｂ）に示すように、主電源回路２１による通信主要回路部（１２〜１５）への電源電圧Ｖ１の供給を停止し、且つ待機電源回路２２で生成された０．９ボルトの電源電圧Ｖ２をスイッチ２４及び電源供給ラインＬ２を介して待機制御回路１６に供給する状態、つまり待機モードの状態となる。
【００４７】
上記のように、図８に示す構成において電源部２を通信動作モードから待機モードに切り替える際には、図９（ａ）に示す通信動作モードの状態から、図１２（ａ）、図１２（ｂ）、図１３（ａ）及び図１３（ｂ）の状態を順次経てから、図９（ｂ）に示す待機モードの状態に到らせるのである。
【００４８】
一方、通信待機指定信号ＣＷＳが待機モードから通信動作モードの指定へと遷移した時には、電源切替制御回路２５０は、図１１に示す通信／待機切替制御ルーチンに従って、先ず、図９（ｂ）に示す待機モードの状態にある各機能モジュール（２１〜２４、２６）のうちの主電源回路２１に、第２電圧値を指定する電圧指定信号ＣＶを供給する（ステップＳ３１）。これにより、主電源回路２１は、図９（ｂ）に示す動作停止状態から動作を介してして、図１４（ａ）に示すように、第２電圧値である０．９ボルトの電源電圧Ｖ１の生成状態に遷移し、かかる電源電圧Ｖ１を電源供給ラインＬ１に印加する。尚、この間、待機電源回路２２、スイッチ２３、２４及び２６の状態は、図９（ｂ）に示す状態を維持する。かかるステップＳ３１を実行してから、主電源回路２１で生成される電源電圧Ｖ１の電圧値が０．９ボルトに到るまでに費やされる期間、例えば１０μｓが経過したら、電源切替制御回路２５０は、スイッチオンを示すスイッチ信号ＳＷ１をスイッチ２３に供給する（ステップＳ３２）。これにより、図１４（ｂ）に示すように、スイッチ２３がオン状態となって電源供給ラインＬ１及びＬ２同士が接続され、主電源回路２１で生成された０．９ボルトの電源電圧Ｖ１と、待機電源回路２２で生成された０．９ボルトの電源電圧Ｖ２とが共に、電源供給ラインＬ１及びＬ２上に印加されることになる。かかるステップＳ３２を実行してから例えば１μｓが経過したら、電源切替制御回路２５０は、スイッチオフを示すスイッチ信号ＳＷ２をスイッチ２４に供給する（ステップＳ３３）。これにより、図１５（ａ）に示すように、スイッチ２４がオフ状態となり、待機電源回路２２で生成された電源電圧Ｖ２が電源供給ラインＬ２上へ印加されなくなる。かかるステップＳ３３を実行してから例えば１μｓが経過したら、電源切替制御回路２５０は、第１電圧値を指定する電圧指定信号ＣＶを主電源回路２１に供給する（ステップＳ３４）。これにより、主電源回路２１は、電源電圧Ｖ１の電圧値を０．９ボルトから１．３ボルトに増加する。かかるステップＳ３４を実行してから、主電源回路２１において生成される電源電圧Ｖ１の電圧値が１．３ボルトに到るまでに費やされる期間、例えば１０μｓが経過したら、電源切替制御回路２５０は、スイッチオンを示すスイッチ信号ＳＷ３をスイッチ２６に供給する（ステップＳ３５）。従って、電源部２は、図１５（ｂ）に示すように、主電源回路２１で生成された１．３ボルトの電源電圧Ｖ１を電源供給ラインＬ１を介して通信主要回路部（１２〜１５）に供給する状態、つまり通信動作モードの状態となる。尚、待機モード時には図９（ｂ）に示すように電源供給ラインＬ１との接続を遮断されていたコンデンサＣ１は、通信動作モードでは電源ラインＬ１に接続され、電源供給ラインＬ１上の電圧変動を抑制するバイパスコンデンサとして機能する。
【００４９】
上記したように、電源部２を待機モードの状態から通信動作モードの状態に切り替える際には、図９（ｂ）に示す待機モードの状態から、図１４（ａ）、図１４（ｂ）、図１５（ａ）及び図１５（ｂ）の状態を順次経てから、図９（ａ）に示す通信動作モードの状態に到らせるのである。
【００５０】
以上のように、図８に示す電源部２では、電源供給ラインＬ１及びＬ２の各々に電源電圧の変動を抑制する為のバイパスコンデンサとして、コンデンサＣ１及びＣ２を設けている。更に、図８に示す電源部２の電源切替制御回路２５０では、モード切替時に電源供給ラインに流れる電流によってコンデンサＣ１及びＣ２が充放電することに起因する無効電力の消費を抑えるべく、コンデンサＣ２を待機電源回路２２及びスイッチ２４間の接続ライン上に設けると共に、コンデンサＣ１及び電源供給ラインＬ１間にスイッチ２６を設けるようにしている。
【００５１】
ここで、電源部２を通信動作モードから待機モードの状態に切り替える際には、電源切替制御回路２５０は、電源切替制御回路２５が実行したステップＳ１〜Ｓ４と同様なステップＳ２２〜Ｓ２５を図１０に示すように順次実行する。ただし、電源切替制御回路２５０では、ステップＳ２２の直前に、図１０に示すように、スイッチ２６をオフ状態にすることによりコンデンサＣ１と電源供給ラインＬ１との接続を遮断させるステップＳ２１を実行するようにしている。一方、電源部２を待機モードの状態から通信モードの状態に切り替える際には、電源切替制御回路２５０は、電源切替制御回路２５が実行したステップＳ１１〜Ｓ１４と同様なステップＳ３１〜Ｓ３４を順次実行する。ただし、電源切替制御回路２５０では、ステップＳ３４の直後に、図１１に示すように、スイッチ２６をオン状態にすることによりコンデンサＣ１と電源供給ラインＬ１とを接続させるステップＳ３５を実行するようにしている。上記したステップＳ２１又はＳ３５によれば、コンデンサＣ１は、通信動作モード時に電源供給ラインＬ１を介して印加されていた第１電圧値（１．３ボルト）に伴う電荷を、待機モードの状態にある間に亘り保持することになる。よって、その後、通信動作モードに切り替えられた際に、コンデンサＣ１では充放電が生じなくなるので、コンデンサＣ１の充放電に伴う無効な電力消費を抑えることが可能となる。
【００５２】
尚、図１又は図８に示す電源部２において、待機モードで動作する待機電源回路２２は、消費電力を削減するために内部バイアス電流を極めて小さくしているため、動作を開始してから電源電圧Ｖ２の電圧値が所望の第２電圧値（例えば、０．９ボルト）に到るまでに長い時間を費やす場合がある。そこで、このような場合には、通信装置１００に対する電源投入に応じて、先ず、電源部２を通信動作モードで起動させるようにすれば、例えば図６（ｂ）に示すように電源供給ラインＬ１及びＬ２同士が接続された際に主電源回路２１から待機電源回路２２側に電流が流れて待機電源回路２２の安定化を促進するため、起動時間の高速化が図られるようになる。また、起動時間が長い待機電源回路２２を用いる場合には、上記した実施例に示すように待機電源回路２２を常時動作状態としておくことで、高速動作化が図られるようになる。一方、起動時間が短い待機電源回路２２を用いる場合には、電源切替制御回路２５又は２５０は、スイッチ２４に対するオフ状態の設定に連動させて待機電源回路２２の動作を停止するようにしても良い。また、起動時間が短い待機電源回路２２を用いる場合には、電源装置１００に対する電源投入に応じて、先ず、電源部２を待機モードで動作させるようにしても良い。
【００５３】
また、上記実施例では、通信主要回路部（１２〜１５）及び待機制御回路１６を動作させる為の電源電圧の値、つまり第１電圧値を１．３ボルトとし、待機制御回路１６を動作させる最低限の電源電圧の値、つまり第２電圧値を０．９ボルトしている。しかしながら、これら第１電圧値及び第２電圧値は１．３及び０．９ボルトに夫々限定されるものでなく、例えば負極性の電圧値であっても良い。
【００５４】
また、図８に示す電源切替制御回路２５０では、待機モードから通信動作モードへの切り替え時において、図１１に示すようにステップＳ３４の後に、スイッチ２６をオン状態にすることによりコンデンサＣ１と電源供給ラインＬ１とを接続させるステップＳ３５を実行するようにしているが、ステップＳ３５を実行するタイミングは、Ｓ３４以前のいずれのタイミングであっても良い。
【００５５】
以上の如く、図１又は図８に示される通信装置には、第１モード（通信動作モード）時には第１電圧値を有する第１電源電圧（Ｖ１）を第１電源供給ライン（Ｌ１）及び第２電源供給ライン（Ｌ２）に送出し、第２モード（待機モード）時には第１電圧値よりも低い第２電圧値を有する第２電源電圧（Ｖ２）を第２電源供給ラインに送出する電源装置（２）が搭載されている。この際、かかる電源装置は、以下の第１電源回路（２１）、第２電源回路（２２）、第１スイッチ（２３）、第２スイッチ（２４）、及び電源切替制御回路（２５、２５０）を含む。つまり、第１電源回路は、第１及び第２電圧値のうちの一方の電圧値を有する第１電源電圧を生成して第１電源供給ラインに送出し、第２電源回路は第２電源電圧を生成する。第１スイッチは、オン状態時に第１及び第２電源供給ライン同士を接続する一方、オフ状態時には第１及び第２電源供給ライン同士の接続を遮断する。第２スイッチは、オン状態時に第２電源回路と第２電源供給ラインとを接続する一方、オフ状態時には第２電源回路と第２電源供給ラインとの接続を遮断する。電源切替制御回路は、電源装置の状態を第１モードから第２モードに切り替える場合には、先ず、第１電源回路で生成すべき第１電源電圧の電圧値を第２電圧値に変更し（Ｓ１、Ｓ２２）、次に第２スイッチをオン状態に設定し（Ｓ２、Ｓ２３）、引き続き第１スイッチをオフ状態に設定して（Ｓ３、Ｓ２４）から第１電源回路の動作を停止させる（Ｓ４、Ｓ２５）ことにより第２モードの状態に到らせる。また、電源切替制御回路は、電源装置の状態を第２モードから第１モードに切り替える場合には、電源切替制御回路は、先ず、第１電源回路にて第２電圧値を有する第１電源電圧を生成させ（Ｓ１１、Ｓ３１）、次に第１スイッチをオン状態に設定し（Ｓ１２、Ｓ３２）、引き続き第２スイッチをオフ状態に設定して（Ｓ１３、Ｓ３３）から第１電源回路で生成すべき第１電源電圧の電圧値を第１電圧値に変更する（Ｓ１４、Ｓ３５）ことにより第１モードの状態に到らせるのである。
【符号の説明】
【００５６】
１                通信処理部
２                電源部
１６              待機制御回路
２１              主電源回路
２２              待機電源回路
２３，２４、２６  スイッチ
２５、２５０      電源切替制御回路
【図１】
2018093722.tif 000003
【図２】
2018093722.tif 000004
【図３】
2018093722.tif 000005
【図４】
2018093722.tif 000006
【図５】
2018093722.tif 000007
【図６】
2018093722.tif 000008
【図７】
2018093722.tif 000009
【図８】
2018093722.tif 000010
【図９】
2018093722.tif 000011
【図１０】
2018093722.tif 000012
【図１１】
2018093722.tif 000013
【図１２】
2018093722.tif 000014
【図１３】
2018093722.tif 000015
【図１４】
2018093722.tif 000016
【図１５】
2018093722.tif 000017